(57)【要約】【課題】特別に養成した動物に依存することなく、普通の動物の脳波を利用して、目標探索対象をその臭いを介し探索するようにした探索装置を提供する。【解決手段】脳波センサ１０は、犬Ｄの頭部Ｄｈに装着されており、この脳波センサ１０は、犬Ｄの脳波を検出する。マイクロコンピュータ２０は、犬Ｄの脳波に基づき周波数解析でもってβ波含有量を表す脳波解析データを作成する。この脳波解析データのβ波含有量が犬Ｄの臭い無しとの感知に対応する基準β波含有量よりも大きいとき、マイクロコンピュータ２０は、目標探索対象の臭いであると決定し、ディスプレイ４０が、駆動回路３０による駆動のもと、目標探索対象であることを表示する。【選択図】図１
2008173220.tif 000002
【特許請求の範囲】
【請求項１】
動物の頭部に装着されて当該動物の脳波を検出し脳波検出信号を発生する脳波センサと、
目標探索対象の臭いを表す基準脳波の周波数成分を基準データとして予め記憶する記憶手段と、
前記脳波検出信号に基づき前記動物の脳波を解析し前記基準脳波と同一脳波の周波数成分を表す脳波解析データを作成する脳波解析データ作成手段と、
前記脳波解析データの前記基準脳波と同一脳波の周波数成分が前記基準脳波の周波数成分より大きいとき前記目標探索対象の臭い有りと判定し出力信号を発生する出力信号発生手段と、
前記出力信号に基づき前記目標探索対象であることを報知する報知手段とを備える探索装置。
【請求項２】
前記出力信号発生手段は、前記脳波解析データの前記基準脳波と同一脳波の周波数成分が前記基準脳波の周波数成分より大きくないとき前記目標探索対象の臭い無しと判定し他の出力信号を発生し、
前記報知手段は、前記他の出力信号に基づき前記目標探索対象無しであることを報知することを特徴とする請求項１に記載の探索装置。
【請求項３】
特に養成されていない普通の犬の頭部に装着されて当該犬の脳波を検出し脳波検出信号を発生する脳波センサと、
目標探索対象の臭いを表す基準脳波の周波数成分を基準データとして予め記憶する記憶手段と、
前記脳波検出信号に基づき前記犬の脳波を解析し前記基準脳波と同一脳波の周波数成分を表す脳波解析データを作成する脳波解析データ作成手段と、
前記脳波解析データの前記基準脳波と同一脳波の周波数成分が前記基準脳波の周波数成分より大きいとき前記目標探索対象の臭い有りと判定し第１出力信号を発生し、前記脳波解析データの前記基準脳波と同一脳波の周波数成分が前記基準脳波の周波数成分より大きくないとき前記目標探索対象の臭い無しと判定し第２出力信号を発生する出力信号発生手段と、
前記第１出力信号に基づき前記目標探索対象であることを報知し、また、前記第２出力信号に基づき前記目標探索対象無しであることをする報知手段とを備える探索装置。
【発明の詳細な説明】
【技術分野】
【０００１】
本発明は、食物、麻薬、危険物、テロ爆発物や人等の目標探索対象を、犬等の動物の嗅覚に基づく脳波を利用して探索するようにした探索装置に関する。
【背景技術】
【０００２】
従来、犬の嗅細胞が人の嗅細胞に比して著しく多いことから、食物、麻薬、危険物或いはテロ爆発物の探索や、災害時に建物に埋まった人の探索は、特別に養成した探索犬によりその嗅覚を利用して行われている（出願人が知っている先行技術は文献公知発明に係るものではないため、記載すべき先行技術文献はない）。
【発明の開示】
【発明が解決しようとする課題】
【０００３】
ところで、上述した探索犬の養成には、数年の養成期間と数億円に及ぶ養成コストが必須であるという問題が指摘されている。従って、当然のことながら、このような問題を解消する対策が望まれる。
【０００４】
ちなみに、犬の嗅覚で感知した臭いは、嗅細胞から嗅脳に信号として伝達され脳波となって犬の頭部から外部へ伝搬するという性質を有する。このようなことは、上述の探索犬に限ることなく、探索犬のように養成されていない普通の犬であっても同様である。
【０００５】
そこで、本発明は、以上のようなことに着目して、特別に養成した動物に依存することなく、普通の動物の脳波を利用して、目標探索対象をその臭いを介し探索するようにした探索装置を提供することを目的とする。
【課題を解決するための手段】
【０００６】
上記課題の解決にあたり、本発明に係る探索装置は、請求項１の記載によれば、
動物（Ｄ）の頭部（Ｄｈ）に装着されて当該動物の脳波を検出し脳波検出信号を発生する脳波センサ（１０）と、
目標探索対象（Ｍ）の臭いを表す基準脳波の周波数成分を基準データとして予め記憶する記憶手段（２０）と、
上記脳波検出信号に基づき動物の脳波を解析し上記基準脳波と同一脳波の周波数成分を表す脳波解析データを作成する脳波解析データ作成手段（５１、５２）と、
上記脳波解析データの上記基準脳波と同一脳波の周波数成分が上記基準脳波の周波数成分より大きいとき目標探索対象の臭い有りと判定し出力信号を発生する出力信号発生手段（５３〜５６）と、
上記出力信号に基づき上記目標探索対象であることを報知する報知手段（３０、４０）とを備える。
【０００７】
これによれば、脳波センサが動物の脳波を検出して脳波検出信号を発生すると、動物の脳波が上記脳波検出信号に基づき解析されて上記基準脳波と同一脳波の周波数成分を表す脳波解析データとして作成される。そして、上記脳波解析データの上記基準脳波と同一脳波の周波数成分が上記基準脳波の周波数成分より大きいとき前記目標探索対象の臭い有りと判定されて、出力信号が発生され、上記目標探索対象であることが報知される。
【０００８】
従って、動物が、特別に養成された探索用の動物とは異なる普通の動物であっても、この動物の嗅覚を利用することで、目標探索対象の探索が容易にかつ確実になされ得る。その結果、目標探索対象の探索のために特に動物を養成する必要がなく、この養成にかかる養成コストや養成時間が不要となる。
【０００９】
また、本発明は、請求項２の記載によれば、請求項１に記載の探索装置において、
出力信号発生手段は、上記脳波解析データの上記基準脳波と同一脳波の周波数成分が上記基準脳波の周波数成分より大きくないとき前記目標探索対象の臭い無しと判定し他の出力信号を発生し、
報知手段は、上記他の出力信号に基づき目標探索対象無しであることを報知することを特徴とする。
【００１０】
これによれば、請求項１に記載の発明の作用効果を達成し得るのは勿論のこと、上記脳波解析データの上記基準脳波と同一脳波の周波数成分が上記基準脳波の周波数成分より大きくないために前記目標探索対象の臭い無しと判定したときには、目標探索対象無しであることを報知する。従って、目標探索対象が無いときに、タイミングよく即座に目標探索対象無しであることを認識し得る。
【００１１】
また、本発明に係る探索装置は、請求項３の記載によれば、
特に養成されていない普通の犬（Ｄ）の頭部（Ｄｈ）に装着されて当該犬の脳波を検出し脳波検出信号を発生する脳波センサ（１０）と、
目標探索対象の臭いを表す基準脳波の周波数成分を基準データとして予め記憶する記憶手段（２０）と、
上記脳波検出信号に基づき犬の脳波を解析し上記基準脳波と同一脳波の周波数成分を表す脳波解析データを作成する脳波解析データ作成手段（５１、５２）と、
上記脳波解析データの上記基準脳波と同一脳波の周波数成分が上記基準脳波の周波数成分より大きいとき目標探索対象の臭い有りと判定し第１出力信号を発生し、上記脳波解析データの上記基準脳波と同一脳波の周波数成分が前記基準脳波の周波数成分より大きくないとき目標探索対象の臭い無しと判定し第２出力信号を発生する出力信号発生手段（５３〜５９）と、
上記第１出力信号に基づき目標探索対象であることを報知し、また、上記第２出力信号に基づき目標探索対象無しであることを報知する報知手段（３０、４０）とを備える。
【００１２】
これによれば、脳波センサが犬の脳波を検出して脳波検出信号を発生すると、犬の脳波が上記脳波検出信号に基づき解析されて上記基準脳波と同一脳波の周波数成分を表す脳波解析データとして作成される。そして、上記脳波解析データの上記基準脳波と同一脳波の周波数成分が上記基準脳波の周波数成分より大きいとき目標探索対象の臭い有りと判定されて、第１出力信号が発生され、目標探索対象であることが報知される。
【００１３】
従って、犬が、特別に養成された探索用の犬とは異なる普通の犬であっても、この犬の嗅覚を利用することで、目標探索対象の探索が容易にかつ確実になされ得る。その結果、目標探索対象の探索のために特に犬を養成する必要がなく、この養成にかかる養成コストや養成時間が不要となる。
【００１４】
また、出力信号発生手段は、上記脳波解析データの上記基準脳波と同一脳波の周波数成分が上記基準脳波の周波数成分より大きくないとき目標探索対象の臭い無しと判定して第２出力信号を発生し、
報知手段は、上記第２出力信号に基づき目標探索対象無しであることを報知する。従って、目標探索対象が無いときに、タイミングよく即座に目標探索対象無しであることを認識し得る。
【００１５】
なお、上記各手段の括弧内の符号は、後述する実施形態に記載の具体的手段との対応関係を示す。
【発明を実施するための最良の形態】
【００１６】
以下、本発明の一実施形態を図面により説明する。
【００１７】
図１は、本発明に係る探索装置の一実施形態を示している。この探索装置は、携帯可能なユニットとして構成されており、当該探索装置は、脳波センサ１０を備えている。この脳波センサ１０は、探索用の犬のように養成されていない普通の犬Ｄの頭部Ｄｈの外表面に着脱可能に装着されて用いられる。なお、本実施形態では、犬Ｄは、例えば、５歳のオスの雑種犬であるものとする。
【００１８】
当該脳波センサ１０は、センサ基板（図示しない）と、このセンサ基板の裏面から延出する複数の体表面電極（図示しない）とを有している。従って、脳波センサ１０は、上記各体表面電極を犬Ｄの頭部Ｄｈの外表面に当てるようにして、上記センサ基板にて、犬Ｄの頭部Ｄｈに装着される。これにより、当該脳波センサ１０は、その複数の体表面電極でもって、犬Ｄの嗅脳の脳波を検出し、検出脳波信号を発生する。
【００１９】
また、当該探索装置は、図１にて示すごとく、マイクロコンピュータ２０、駆動回路３０及びディスプレイ４０を備えている。
【００２０】
マイクロコンピュータ２０は、図２にて示すフローチャートに従い、探索プログラムを実行し、この実行中において、脳波センサ１０の検出脳波信号に基づき、脳波解析処理、β波含有量作成処理、作成β波含有量と基準β波含有量との比較判定処理、表示データの作成処理及び出力処理等を行う。なお、上記探索プログラムは、マイクロコンピュータ２０のＲＯＭ（図示しない）に予め当該マイクロコンピュータにより読み出し可能に記憶されている。
【００２１】
ディスプレイ４０は、マイクロコンピュータ２０の出力に基づき駆動回路３０により駆動されて表示データを表示する。なお、本実施形態では、マイクロコンピュータ２０、駆動回路３０及びディスプレイ４０が、携帯用ノート型パーソナルコンピュータでもって構成されている。従って、脳波センサ１０のマイクロコンピュータ２０に対する接続端子は、マイクロコンピュータ２０のＵＳＢポートに接続される。
【００２２】
以上のように構成した本実施形態において、マイクロコンピュータ２０が、図２のフローチャートに従い探索プログラムの実行を開始する。ここで、脳波センサ１０が、図１にて示すごとく、犬Ｄの頭部Ｄｈに装着されているものとする。このような状態で、探索者が、目標探索対象Ｍを探索するために、犬Ｄを連れて行動するものとする。本実施形態では、目標探索対象Ｍはドッグフードであるものとする。
【００２３】
このような行動の過程においては、犬Ｄによりその嗅覚でもって感知される臭いが、順次、犬Ｄの嗅細胞から当該犬Ｄの嗅脳に信号として伝達され、外部へ伝搬可能な脳波となる。これに伴い、犬Ｄの脳波の全体が脳波センサ１０により検出されて検出脳波信号として発生される。
【００２４】
しかして、上記探索プログラムがステップ５０に達すると、脳波センサ１０からマイクロコンピュータ２０に検出脳波信号が入力される。すると、ステップ５１において、脳波解析処理がなされる。ここでは、脳波解析がステップ５０で入力済みの検出脳波信号に基づき周波数解析でもってなされる。具体的には、図３にて示すような周波数成分と脳波周波数との関係が得られるものとする。本実施形態では、図３にて示すような周波数成分と脳波周波数との関係は、ドッグフードの臭いを特定するものである。なお、図３の縦軸の単位において、Ｖ2は、電圧の２乗を表す。
【００２５】
ついで、ステップ５２において、脳波解析データ作成処理がなされる。ここでは、脳波解析データが、ステップ５１にてなされた脳波解析の結果に基づき作成される。具体的には、上述の周波数成分と脳波周波数との関係（図３参照）に基づきβ波含有量が算出される（図５にて棒グラフ１参照）。このことは、上述の周波数成分と脳波周波数との関係（図３参照）に基づきβ波含有量が作成されることを意味する。
【００２６】
然る後、次のステップ５３において、上述の作成β波含有量が基準β波含有量よりも大きいか否かが判定される。本実施形態において、上記基準β波含有量は次のようにして作成されている。
【００２７】
まず、何ら訓練をしていない複数のオスの雑種犬（５歳）を利用して、これらの雑種犬の周囲に感知すべき対象物がないときの当該各雑種犬の脳波を計測し周波数解析を行った。なお、脳波の計測は、日本光電株式会社製AB-611J型高感度増幅器を用い、１００（Ｈｚ）のサンプリング周期にて４回行った。そして、この計測脳波を、キッセイコムテック株式会社製波形データ収録プログラム（Vital Recorder 2)により取り込んで、キッセイコムテック株式会社製生体情報解析プログラム（BIMUSTAS II）でもって周波数解析による波形解析を行った。これにより、図４にて示すような周波数成分と脳波周波数との関係が得られた。そして、このような周波数成分と脳波周波数との関係に基づき基準β波含有量（図５にて棒グラフ２参照）を求め、当該マイクロコンピュータ２０のＲＯＭに予め記憶した。
【００２８】
しかして、上述の作成β波含有量が基準β波含有量よりも大きければ、ステップ５３においてＹＥＳと判定される。これに伴い、ステップ５４において、目標探索物の臭い有りとの決定処理がなされる。この決定処理に基づき、目標探索物Ｍの臭い有りと決定される。このことは、目標探索対象Ｍがドッグフードであることを意味する。
【００２９】
すると、ステップ５５において、目標探索対象Ｍであることを表す表示データの作成処理がなされる。この作成処理では、目標探索対象Ｍ、即ちドッグフードであることを表す表示データが作成される。これに伴い、ステップ５６において、ステップ５５で作成した表示データが第１出力信号として発生され、駆動回路３０に出力される。
【００３０】
このように第１出力信号が駆動回路３０に出力されると、ディスプレイ４０は、駆動回路３０により駆動されて、上記第１出力信号の内容、即ち、目標探索対象Ｍであるドッグフードを表示する。これにより、探索者は、探索対象Ｍをドッグフードとして視認し得る。
【００３１】
一方、上述のステップ５３において、上述の作成β波含有量が基準β波含有量よりも大きくなければ、ＮＯと判定される。これに伴い、ステップ５７において、目標探索対象Ｍの臭い無しとの決定処理がなされる。このことは、上述した行動の過程では、目標探索物Ｍであるドッグフードが無いことを意味する。
【００３２】
ついで、ステップ５８において、目標探索対象Ｍ無しを表す表示データの作成処理がなされる。ここでは、探索対象Ｍであるドッグフードが無いことを表す表示データが作成される。これに伴い、ステップ５９において、ステップ５８で作成した表示データが第２出力信号として発生され、駆動回路３０に出力される。
【００３３】
このように第２出力信号が駆動回路３０に出力されると、ディスプレイ４０は、駆動回路３０により駆動されて、上記第２出力信号の内容、即ち、探索対象Ｍであるドッグフードが無いことを表示する。これにより、探索者は、探索対象Ｍであるドッグフードが無い旨視認し得る。
【００３４】
以上説明したように、本実施形態では、脳波センサ１０からの検出脳波信号に基づき犬Ｄの脳波解析を行って作成した脳波解析データのβ波含有量が上記基準β波含有量よりも大きいか否かが判定される。そして、上記脳波解析データのβ波含有量が上記基準β波含有量よりも大きいとの判定時には、目標探索対象Ｍの臭い有りと決定され、目標探索対象Ｍがドッグフードとして表示される。
【００３５】
従って、犬Ｄが、上述したごとく、特別に養成された探索用の犬とは異なる普通の犬であっても、この犬の嗅覚を利用することで、目標探索対象の探索が容易にかつ確実になされ得る。その結果、目標探索対象の探索のために特に犬を養成する必要がなく、この養成にかかる養成コストや養成時間が不要となる。
【００３６】
また、上記脳波解析データがのβ波含有量が上記基準β波含有量よりも大きくないとの判定時には、目標探索対象Ｍの臭い無しと決定し、目標探索対象Ｍ無しであることを表示する。これにより、タイミングよく即座に、目標探索対象Ｍがないことが認識され得る。
【００３７】
本発明の実施にあたり、上記実施形態に限定されることなく、次のような種々の変形例が挙げられる。
１．また、本発明の実施にあたっては、ディスプレイ４０による表示に限ることなく、このディスプレイ４０にブザーや音声合成装置等をも含めた報知手段でもって、目標探索対象の有無を報知するようにしてもよい。
２．本発明は、ドッグフードに限ることなく、人、危険物或いはテロ爆発物の探索に適用してもよい。この場合、人の臭い、危険物の臭い或いはテロ爆発物の臭いに対応する犬Ｄの脳波から基準β波含有量を求めて予めマイクロコンピュータ２０のＲＯＭに記憶しておけば、犬Ｄの実際の脳波に求めたβ波含有量が当該記憶基準β波含有量よりも大きいか否かでもって、人、危険物或いはテロ爆発物の探索が可能となる。
３．本発明の実施にあたっては、犬に限ることなく、強い嗅覚を有する動物であれば、どのような動物であっても、この動物の嗅覚を利用して本発明を適用して実施してもよい。
４．本発明の実施にあたり、脳波センサ１０は、上記実施形態にて述べた構成のものに代えて、犬Ｄの頭部Ｄｈの脳に埋め込む型式の電極（脳内埋め込み電極）を有するセンサであってもよい。
５．本発明の実施にあたり、ノート型パーソナルコンピュータに限ることなく、例えば、デスクトップ型パーソナルコンピュータであってもよい。
【図面の簡単な説明】
【００３８】
【図１】本発明に係る探索装置の一実施形態を示すブロック図である。
【図２】図１のマイクロコンピュータの作用を示すフローチャートである。
【図３】上記実施形態において目標探索対象（ドッグフード）に対する普通の犬の感知脳波の周波数解析データを示すグラフである。
【図４】上記実施形態において普通の犬の臭いを感知しないときの脳波の周波数解析データを示すグラフである。
【図５】図３の各グラフに基づきそれぞれ求めたβ波含有量を表す棒グラフである。
【符号の説明】
【００３９】
Ｄ…犬、Ｄｈ…頭部、１０…脳波センサ、２０…マイクロコンピュータ、
３０…駆動回路、４０…ディスプレイ。
【図１】
2008173220.tif 000003
【図２】
2008173220.tif 000004
【図３】
2008173220.tif 000005
【図４】
2008173220.tif 000006
【図５】
2008173220.tif 000007